(57)【要約】【課題】無駄な周波数割り当てをすることなく、遅延時間が短くかつ小型化を実現可能な、携帯・移動体向け放送の再送信装置を提供する。【解決手段】地上デジタル放送の再送信装置１は、Ｎ個のチューナー部２００、Ｎ個のデジタル処理部３１１、加算回路４００及び再送信部５００を備える。各チューナー部２００は、受信した複数チャンネルの地上デジタル放送波から一つのチャンネルを選択し、そのチャンネルの等価ベースバンド信号を出力する。各デジタル処理部３１１は、フーリエ変換することなく、前記等価ベースバンド信号の１３セグメントから部分受信部のみをＬＰＦ回路３０１により抽出し、セグメント配置回路３０２により連結時のセグメントに配置する。加算回路４００は、各デジタル処理部３１１から部分受信部の等価ベースバンド信号を入力して加算合成し、再送信部５００を介して１チャンネルの地上デジタル放送波として再送信する。【選択図】図１
2010035222.tif 000002
【特許請求の範囲】
【請求項１】
複数のセグメントにより構成される地上デジタル放送を複数波受信し、これらの地上デジタル放送波から一つのセグメントをそれぞれ抜き出し、この抜き出したセグメントを連結して地上デジタル放送波として再送信する地上デジタル放送の再送信装置において、
複数のチューナー部、前記チューナー部にそれぞれ対応した複数のデジタル処理部、加算部、及び再送信部を備え、
前記チューナー部は、
前記受信した地上デジタル放送の複数波のうちの一つの放送波を選択し、この放送波のＲＦ帯の信号をＩＦ帯の信号に変換する受信変換手段と、
前記受信変換手段により変換されたＩＦ信号をデジタルＩＦ信号に変換するＡＤ変換手段と、
前記ＡＤ変換手段により変換されたデジタルＩＦ信号に直交復調を施し、等価ベースバンド信号を出力する直交復調手段とを有し、
前記デジタル処理部は、
前記チューナー部の直交復調手段により出力された等価ベースバンド信号から一つのセグメントを抜き出すフィルタ手段と、
前記フィルタ手段により抜き出された一つのセグメントの等価ベースバンド信号を、複数のセグメントを連結するように所定の帯域幅内に周波数変換するセグメント配置手段とを有し、
前記加算部は、
前記複数のデジタル処理部のセグメント配置手段により周波数変換されたそれぞれの１つのセグメントの等価ベースバンド信号を加算合成する手段を有し、
前記再送信部は、
前記加算部により加算合成された等価ベースバンド信号に直交変調を施し、デジタルＩＦ信号を出力する直交変調手段と、
前記直交変調手段により出力されたデジタルＩＦ信号をアナログＩＦ信号に変換するＤＡ変換手段と、
前記ＤＡ変換手段により変換されたアナログＩＦ信号を、地上デジタル放送波として再送信するためのＲＦ帯の信号に変換し、該変換した信号を増幅する送信変換手段とを有することを特徴とする再送信装置。
【請求項２】
請求項１に記載の地上デジタル放送の再送信装置において、
さらに、前記複数のデジタル処理部における等価ベースバンド信号に対し、タイミングを合わせるための遅延時間を調整する遅延時間調整部を備え、
前記デジタル処理部は、
前記チューナー部の直交復調手段により出力された等価ベースバンド信号から一つのセグメントを抜き出すフィルタ手段と、
前記フィルタ手段により抜き出された一つのセグメントの等価ベースバンド信号について、シンボル同期のためのシンボルタイミング及び周波数誤差量を検出するシンボル同期検出手段と、
前記フィルタ手段により抜き出された一つのセグメントの等価ベースバンド信号と、前記シンボル同期検出手段により検出された周波数誤差量とを用いて周波数誤差を補正する周波数誤差補正手段と、
前記周波数誤差補正手段により補正された１セグメントの等価ベースバンド信号と、前記遅延時間調整部により調整された遅延時間とを用いて、前記１セグメントの等価ベースバンド信号を前記遅延時間だけ遅延させる遅延部と、
前記遅延部により遅延した１セグメントの等価ベースバンド信号を、複数のセグメントを連結するように所定の帯域幅内に周波数変換するセグメント配置手段とを有し、
前記遅延時間調整部は、
前記複数のデジタル処理部のシンボル同期検出手段によりそれぞれ検出されたシンボルタイミングを用いて、前記デジタル処理部におけるそれぞれの等価ベースバンド信号のタイミングに合わせるように、それぞれの遅延時間を算出する手段を有することを特徴とする再送信装置。
【請求項３】
請求項１に記載の地上デジタル放送の再送信装置において、
さらに、前記複数のデジタル処理部におけるそれぞれの等価ベースバンド信号に対し、タイミングを合わせるための遅延時間を調整する遅延時間調整部を備え、
前記デジタル処理部は、
前記チューナー部の直交復調手段により出力された等価ベースバンド信号から一つのセグメントを抜き出すフィルタ手段と、
前記フィルタ手段により抜き出された一つのセグメントの等価ベースバンド信号について、シンボル同期のためのシンボルタイミング及び周波数誤差量を検出するシンボル同期検出手段と、
前記フィルタ手段により抜き出された一つのセグメントの等価ベースバンド信号と、前記シンボル同期検出手段により検出された周波数誤差量とを用いて周波数誤差を補正する周波数誤差補正手段と、
前記周波数誤差補正手段により補正された一つのセグメントの等価ベースバンド信号について、時間領域の信号から周波数領域の信号に変換するＦＦＴ手段と、
前記ＦＦＴ手段により変換された周波数領域の信号について、ＳＰパターンを検出するＳＰパターン検出手段と、
前記周波数誤差補正手段により補正された１セグメントの等価ベースバンド信号と、前記遅延時間調整部により調整された遅延時間とを用いて、前記１セグメントの等価ベースバンド信号を前記遅延時間だけ遅延させる遅延部と、
前記遅延部により遅延した１セグメントの等価ベースバンド信号を、複数のセグメントを連結するように所定の帯域幅内に周波数変換するセグメント配置手段とを有し、
前記遅延時間調整部は、
前記複数のデジタル処理部のシンボル同期検出手段によりそれぞれ検出されたシンボルタイミングと、前記複数のデジタル処理部のＳＰパターン検出手段によりそれぞれ検出されたＳＰパターンとを用いて、前記デジタル処理部におけるそれぞれの等価ベースバンド信号のシンボルタイミング及びＳＰパターンを合わせるように、それぞれの遅延時間を算出する手段を有することを特徴とする再送信装置。
【請求項４】
請求項１に記載の地上デジタル放送の再送信装置において、
さらに、前記複数のデジタル処理部におけるそれぞれの等価ベースバンド信号に対し、タイミングを合わせるための遅延時間を調整する遅延時間調整部を備え、
前記デジタル処理部は、
前記チューナー部の直交復調手段により出力された等価ベースバンド信号から一つのセグメントを抜き出すフィルタ手段と、
前記フィルタ手段により抜き出された一つのセグメントの等価ベースバンド信号について、シンボル同期のためのシンボルタイミング及び周波数誤差量を検出するシンボル同期検出手段と、
前記フィルタ手段により抜き出された一つのセグメントの等価ベースバンド信号と、前記シンボル同期検出手段により検出された周波数誤差量とを用いて周波数誤差を補正する周波数誤差補正手段と、
前記周波数誤差補正手段により補正された一つのセグメントの等価ベースバンド信号について、この時間領域の信号から周波数領域の信号に変換するＦＦＴ手段と、
前記ＦＦＴ手段により変換された周波数領域の信号についてのＴＭＣＣ信号を用いて、フレーム同期のためのフレームタイミングを検出するフレーム同期検出手段と、
前記周波数誤差補正手段により補正された１セグメントの等価ベースバンド信号と、前記遅延時間調整部により調整された遅延時間とを用いて、前記１セグメントの等価ベースバンド信号を前記遅延時間だけ遅延させる遅延部と、
前記遅延部により遅延した１セグメントの等価ベースバンド信号を、複数のセグメントを連結するように所定の帯域幅内に周波数変換するセグメント配置手段とを有し、
前記遅延時間調整部は、
前記複数のデジタル処理部のシンボル同期検出手段によりそれぞれ検出されたシンボルタイミングと、前記複数のデジタル処理部のフレーム同期検出手段によりそれぞれ検出されたフレームタイミングとを用いて、前記デジタル処理部におけるそれぞれの等価ベースバンド信号のフレームタイミングを合わせるように、それぞれの遅延時間を算出する手段を有することを特徴とする再送信装置。
【請求項５】
請求項１から４までのいずれか一項に記載の再送信装置において、
前記デジタル処理部のフィルタ手段により抜き出される一つのセグメントを、携帯・移動体向け放送の部分受信部のセグメントまたは地上デジタル音声放送のセグメントとすることを特徴とする再送信装置。
【発明の詳細な説明】
【技術分野】
【０００１】
本発明は、地上デジタル放送の再送信装置に関わり、地上デジタルテレビジョン放送の部分受信部のセグメントまたは地上デジタル音声放送を受信し、その受信した信号を再送信する再送信装置に関する。
【背景技術】
【０００２】
日本の地上デジタルテレビジョン放送は、ＩＳＤＢ−Ｔ（Ｉｎｔｅｇｒａｔｅｄ Ｓｅｒｖｉｃｅｓ Ｄｉｇｉｔａｌ Ｂｒｏａｄｃａｓｔｉｎｇ−Ｔｅｒｒｅｓｔｒｉａｌ）方式と呼ばれるＯＦＤＭ（Ｏｒｔｈｏｇｏｎａｌ Ｆｒｅｑｕｅｎｃｙ Ｄｉｖｉｓｉｏｎ Ｍｕｌｔｈｉｐｌｅｘ）変調方式を採用しており、１３個のセグメント（合計帯域幅６ＭＨｚ）として送信データを放送している。
【０００３】
家庭内に設けられたテレビは、固定されたアンテナによりこの１３セグメントを一括して受信するが、携帯電話機やＰＤＡ（Ｐｅｒｓｏｎａｌ Ｄｉｇｉｔａｌ Ａｓｓｉｓｔａｎｔ）等の携帯・移動体向けの放送では、この１３セグメントのうちの中央の１セグメントのみを受信する、いわゆる部分受信を行う。
【０００４】
ここで、携帯・移動体向け放送のセグメントは、屋外のビル陰、ビル内、地下街等においても良好に受信できるようにする必要があり、そのためには、部分受信部のセグメントを再送信する再送信装置が必要となる。
【０００５】
従来、地上デジタル放送の再送信方法として、以下の４つが知られている。すなわち、第１の再送信方法は、１３セグメント全てを再送信するに際し、複数の送信所または中継所から同一の周波数を用いて同一内容の信号を送信する単一周波数ネットワークにより実現するものである（例えば、特許文献１，２，３を参照）。第２の再送信方法は、１３セグメント全てを再送信するに際し、中継局で受信した受信信号に対して周波数変換を行い、受信周波数とは別の周波数で送信する二周波数ネットワークにより実現するものである（例えば、非特許文献１を参照）。
【０００６】
また、第３の再送信方法は、部分受信のみを行うネットワークを構築することにより、部分受信部のみをフィルタで抽出し、部分受信部のみを再送信するものである（例えば、特許文献４を参照）。第４の再送信方法は、部分受信のみを行うネットワークを構築することにより、部分受信部のみをフィルタで抽出し、フーリエ変換を行い周波数領域の処理により複数個のセグメントを連結して再送信するものである（例えば、特許文献５を参照）。
【先行技術文献】
【特許文献】
【０００７】
【特許文献１】特開平１０−７５２６２号公報
【特許文献２】特開平１０−７５２６３号公報
【特許文献３】特開平１０−２８１０５号公報
【特許文献４】特開２００５−３４１１９５号公報
【特許文献５】特開２００６−１０９２８３号公報
【非特許文献】
【０００８】
【非特許文献１】都竹愛一郎他、「ＯＦＤＭによる地上デジタル放送−二周波放送中継の検討−」、１９９５年テレビジョン学会年次大会予稿集２７７頁〜２７８頁
【発明の概要】
【発明が解決しようとする課題】
【０００９】
前述した第１及び第２の再送信方法は、地上デジタルテレビジョン放送の場合、１３セグメント全体の送信データを１チャンネル当たり６ＭＨｚの帯域幅を使って再送信するものである。しかしながら、この再送信方法では、屋外のビル陰、ビル内、地下街等の携帯・移動体向けに再送信するときであっても、部分受信部の１セグメントのみを再送信すれば済むにもかかわらず、１チャンネル当たり１３セグメントの信号帯域幅６ＭＨｚ全体を再送信しなければならない。例えば、二周波数によって８チャンネル分の再送信を行う場合、８チャンネル分のチャンネル幅４８ＭＨｚ（６ＭＨｚ×８チャンネル）の帯域を確保する必要がある。この場合、現状の国内の送信割当周波数は混み合っているので、このような帯域を確保することは困難であるという問題があった。
【００１０】
また、前述した第３の再送信方法は、部分受信部のみを抽出して再送信するものであるが、再送信する帯域は１チャンネルあたり６ＭＨｚであるため、結局８チャンネルの場合４８ＭＨｚの帯域が必要である点において前述の第１及び第２の再送信方法と同様の問題があった。また、再送信点付近にある固定受信の特性を劣化させるおそれがあるという問題もあった。
【００１１】
また、前述した第４の再送信方法は、複数個のセグメントを連結して再送信するものであるが、周波数領域での処理を必要とするためフーリエ変換及び逆フーリエ変換を行うことになり、信号を受信してから再送信するまでの遅延時間が大きくなると共に、回路規模も大きくなるという問題があった。
【００１２】
そこで、本発明はかかる問題を解決するためになされたものであり、その目的は、地上デジタル放送の再送信装置において、無駄な周波数割り当てをすることなく、遅延時間が短くかつ小型化を実現可能な、携帯・移動体向け放送の再送信装置を提供することにある。
【課題を解決するための手段】
【００１３】
上記課題を解決するため、本発明による地上デジタル放送の再送信装置は、地上デジタル放送波の部分受信部のみをフィルタで抽出し、時間領域におけるデジタル処理だけで、複数の地上デジタル放送波の部分受信部を隣接する各セグメントに連結して１つの地上デジタル放送波として再送信する。これにより、フーリエ変換や逆フーリエ変換を行うことなく、少ない帯域幅で再送信することができる。
【００１４】
すなわち、本発明による地上デジタル放送の再送信装置は、複数のセグメントにより構成される地上デジタル放送を複数波受信し、これらの地上デジタル放送波から一つのセグメントをそれぞれ抜き出し、この抜き出したセグメントを連結して地上デジタル放送波として再送信する地上デジタル放送の再送信装置において、複数のチューナー部、前記チューナー部にそれぞれ対応した複数のデジタル処理部、加算部、及び再送信部を備え、前記チューナー部は、前記受信した地上デジタル放送の複数波のうちの一つの放送波を選択し、この放送波のＲＦ帯の信号をＩＦ帯の信号に変換する受信変換手段と、前記受信変換手段により変換されたＩＦ信号をデジタルＩＦ信号に変換するＡＤ変換手段と、前記ＡＤ変換手段により変換されたデジタルＩＦ信号に直交復調を施し、等価ベースバンド信号を出力する直交復調手段とを有し、前記デジタル処理部は、前記チューナー部の直交復調手段により出力された等価ベースバンド信号から一つのセグメントを抜き出すフィルタ手段と、前記フィルタ手段により抜き出された一つのセグメントの等価ベースバンド信号を、複数のセグメントを連結するための位置に周波数変換するセグメント配置手段とを有し、前記加算部は、前記複数のデジタル処理部のセグメント配置手段により周波数変換されたそれぞれの１つのセグメントの等価ベースバンド信号を加算合成する手段を有し、前記再送信部は、前記加算部により加算合成された等価ベースバンド信号に直交変調を施し、デジタルＩＦ信号を出力する直交変調手段と、前記直交変調手段により出力されたデジタルＩＦ信号をアナログＩＦ信号に変換するＤＡ変換手段と、前記ＤＡ変換手段により変換されたアナログＩＦ信号を、地上デジタル放送波として再送信するためのＲＦ帯の信号に変換し、該変換した信号を増幅する送信変換手段とを有することを特徴とする。
【発明の効果】
【００１５】
以上のように、本発明によれば、地上デジタル放送の再送信装置において、無駄な周波数割り当てをすることなく、遅延時間が短くかつ小型化を実現可能な再送信装置を実現することができる。
【図面の簡単な説明】
【００１６】
【図１】本発明の実施の形態による地上デジタル放送の再送信装置の構成（実施例１）を示すブロック図である。
【図２】ＩＳＤＢ−Ｔ方式のセグメントの構成と番号を示す図である。
【図３】受信チャンネルと送信チャンネルの構成例を示す図である。
【図４】本発明の実施の形態による地上デジタル放送の再送信装置の構成（実施例２）を示すブロック図である。
【図５】図４のＧＩ付け換え回路の処理を説明する図である。
【図６】本発明の実施の形態による地上デジタル放送の再送信装置の構成（実施例３）を示すブロック図である。
【図７】本発明の実施の形態による地上デジタル放送の再送信装置の構成（実施例４）を示すブロック図である。
【図８】ＳＰの配列を示すパターン図である。
【図９】本発明の実施の形態による地上デジタル放送の再送信装置の構成（実施例５）を示すブロック図である。
【図１０】本発明の実施の形態による地上デジタル放送の再送信装置の構成（実施例６）を示すブロック図である。
【図１１】本発明の実施の形態による地上デジタル放送の再送信装置の構成（実施例７）を示すブロック図である。
【図１２】本発明の実施の形態による地上デジタル放送の再送信装置の構成（実施例８）を示すブロック図である。
【図１３】本発明の実施の形態による地上デジタル放送の再送信装置の構成（実施例９）を示すブロック図である。
【図１４】本発明の実施の形態による地上デジタル放送の再送信装置の構成（実施例１０）を示すブロック図である。
【発明を実施するための形態】
【００１７】
以下、本発明を実施するための最良の形態について図面を用いて詳細に説明する。
本発明の実施の形態は、地上デジタルテレビジョン放送を受信し、再送信する再送信装置を例にして説明する。
【００１８】
図２は、ＩＳＤＢ−Ｔ方式のセグメントの構成と番号を示す図である。ＩＳＤＢ−Ｔ方式では、ＯＦＤＭ信号を構成する５６００本余りのサブキャリアを１３のグループに分割し、その１つ１つをセグメントと称している。セグメントは０〜１２のセグメント番号で区別されており、セグメント番号０のセグメントは部分受信部のセグメントであり、携帯・移動体向け放送用のデータが割り付けられている。この１３セグメントは１チャンネルに相当し、帯域幅は６ＭＨｚである。放送事業者には、１３セグメントから構成される帯域幅６ＭＨｚの１チャンネルが割り当てられ、各放送事業者は、それぞれ割り当てられたこの１チャンネルの中でＩＳＤＢ−Ｔ方式のＯＦＤＭ信号を放送する。
【００１９】
図３は、地上デジタル放送の再送信装置において、受信チャンネル及び送信チャンネルの構成例として、８チャンネルの各ワンセグ部分を連結する例を示す図である。図３に示すように、複数の放送事業者には、８つのチャンネル（ＵＨＦ１３，１４，１５，１６，１７，１８，１９，２０ｃｈ）のうちのいずれか１チャンネルがそれぞれ割り当てられているものとする。地上デジタル放送の再送信装置は、これらの複数の地上デジタル放送波を受信し、それぞれの地上デジタル放送波からセグメント番号０の部分受信部を抜き出し、それぞれの部分受信部を連結し、連結した信号を再送信信号として、空いているＲＦ信号例えばＵＨＦ５３ｃｈで送信する装置である。
【００２０】
以下、地上デジタル放送の再送信装置について、実施例１〜１０により具体的に説明する。実施例１による地上デジタル放送の再送信装置は、地上デジタルテレビジョン放送をチャンネルの系統毎にフーリエ変換することなく受信処理し、抽出した各部分受信部を連結して再送信するものである。実施例２による地上デジタル放送の再送信装置は、実施例１のように系統毎にフーリエ変換することなく受信処理するものであるが、抽出した各部分受信部に対しＧＩ（Ｇｕａｒｄ Ｉｎｔｅｒｖａｌ）の付け換えを行って再送信するものである。実施例３による地上デジタル放送の再送信装置は、抽出した各部分受信部に対しそれぞれのシンボルタイミングを合わせて再送信するものである。実施例４による地上デジタル放送の再送信装置は、抽出した各部分受信部に対しそれぞれのシンボルタイミング及びＳＰ（Ｓｃａｔｔｅｒｅｄ Ｐｉｌｏｔ）パターンを合わせて再送信するものである。実施例５による地上デジタル放送の再送信装置は、抽出した各部分受信部に対しそれぞれのフレームタイミングを合わせて再送信するものである。実施例６〜１０による地上デジタル放送の再送信装置は、地上デジタルテレビジョン放送とは別に独自に生成したＴＳ（Ｔｒａｎｓｐｏｒｔ Ｓｔｒｅａｍ）信号を付加して、地上デジタルテレビジョン放送と共に送信するものであり、それぞれ実施例１〜５の手法を用いるものである。
【実施例１】
【００２１】
まず、実施例１について説明する。図１は、本発明の実施の形態による地上デジタル放送の再送信装置の構成（実施例１）を示すブロック図である。この再送信装置１は、受信アンテナ部１００、Ｎ個のチューナー部２００（２００−１，２００−２，・・・，２００−Ｎ）、Ｎ個のデジタル処理部３１１（３１１−１，３１１−２，・・・，３１１−Ｎ）、加算回路４００、再送信部５００、及び送信アンテナ部６００から構成される。尚、チューナー部２００及びデジタル処理部３１１はＮ系統により構成され、それぞれの系統は同じ回路で構成されるので、以下、１系統のみについて説明する。また、チューナー部２００は、受信変換回路２０１、ＡＤ変換回路２０２及び直交復調回路２０３から構成され、デジタル処理部３１１は、ＬＰＦ（Ｌｏｗ Ｐａｓｓ Ｆｉｌｔｅｒ）回路３０１及びセグメント配置回路３０２から構成され、再送信部５００は、直交変調回路５０１、ＤＡ変換回路５０２及び送信変換回路５０３から構成される。尚、Ｎ≦１３である（以下同じ）。
【００２２】
受信アンテナ部１００により受信した地上デジタル放送は、分配器（図示せず）により地上デジタル放送波数分（Ｎ波分）に分配される。チューナー部２００が分配された地上デジタル放送であるＲＦ信号を入力すると、チューナー部２００の受信変換回路２０１は、入力したＲＦ信号を、一度中間周波数（例えば、家庭用受信機で使用している５７ＭＨｚ）に変換し、ＳＡＷ（Ｓｕｒｆａｃｅ Ａｃｏｕｓｔｉｃ Ｗａｖｅ）フィルタを通過させた後、低周波数（例えば、ＦＦＴ（Ｆａｓｔ Ｆｏｕｒｉｅｒ Ｔｒａｎｓｆｏｒｍ）周波数の半分である４ＭＨｚ）に再度周波数を変換する。これにより、各系統毎に予め設定されたチャンネルのみが選択される。
【００２３】
ＡＤ変換回路２０２は、受信変換回路２０１により周波数変換された信号を入力し、サンプリング周波数（例えば、ＦＦＴ周波数の２倍である１６ＭＨｚ）でデジタル信号にＡ／Ｄ変換する。直交復調回路２０３は、ＡＤ変換回路２０２によりＡ／Ｄ変換されたデジタル信号を入力し、直交復調して等価ベースバンド信号に変換する。
【００２４】
デジタル処理部３１１のＬＰＦ回路３０１は、直交復調回路２０３により変換された等価ベースバンド信号を入力し、フィルタ処理によってワンセグ部分（部分受信部）の信号のみを抜き出す。セグメント配置回路３０２は、ＬＰＦ回路３０１により抜き出されたワンセグ部分の信号を入力し、１つの等価ベースバンド信号に連結する際に配置されるセグメントへの周波数変換を行う。
【００２５】
加算回路４００は、Ｎ系統のデジタル処理部３１１によりデジタル処理されたワンセグ部分の等価ベースバンド信号を入力し、これらの等価ベースバンド信号を加算合成する。
【００２６】
再送信部５００の直交変調回路５０１は、加算回路４００により加算合成された等価ベースバンド信号を入力し、直交変調して変換する。ＤＡ変換回路５０２は、直交変調回路５０１により変換されたデジタル信号を入力し、ＡＤ変換回路２０２と同じサンプリング周波数（例えば、４ＭＨｚの４倍である１６ＭＨｚ）を使って、入力したデジタル信号をＤ／Ａ変換して低周波数（例えば４ＭＨｚ）の信号を生成する。送信変換回路５０３は、ＤＡ変換回路５０２によりＤ／Ａ変換された低周波数の信号を入力し、一度中間周波数（例えば、ＩＦ信号の周波数３７．１５ＭＨｚ）に周波数変換した後、再送信するためのＲＦ信号に再度周波数変換し、所望の送信電力に増幅する。このように送信変換回路５０３により周波数変換され増幅されたＲＦ信号は、送信アンテナ部６００を介して再送信される。
【００２７】
以上のように、実施例１による地上デジタル放送の再送信装置１によれば、地上デジタル放送の携帯・移動体向けサービス放送である部分受信部のみをフィルタで抽出し、フーリエ変換及び逆フーリエ変換することなく、時間領域におけるデジタル処理だけで、複数の地上デジタル放送波の部分受信部を隣接する各セグメントに連結して１つのＲＦ信号として再送信するようにした。これにより、屋外のビル陰、ビル内、地下街等の受信装置に向けて、無駄な周波数を割り当てることなく少ない帯域幅（１チャンネル＝６ＭＨｚ）で再送信することができる。また、再送信される本線系のデータに対してフーリエ変換及び逆フーリエ変換する必要がなく、これらの回路が不要であるから、遅延時間が短く、かつ簡易な小型化を実現することができる。
【実施例２】
【００２８】
次に、実施例２について説明する。この実施例２は、受信変換回路２０１が周波数変換を行う際にローカル周波数に含まれるジッタに起因した周波数成分の誤差をなくし、加算回路４００でのキャリア間干渉を防止すると共に、ＬＰＦ回路３０１のフィルタ処理により生じる信号の歪みを除去するものである。
【００２９】
図４は、本発明の実施の形態による地上デジタル放送の再送信装置の構成（実施例２）を示すブロック図である。この再送信装置２は、受信アンテナ部１００（図示せず）、Ｎ個のチューナー部２００、Ｎ個のデジタル処理部３１２、加算回路４００、再送信部５００、及び送信アンテナ部６００（図示せず）から構成される。尚、デジタル処理部３１２はＮ系統により構成され、それぞれの系統は同じ回路で構成されるので、以下、１系統のみについて説明する。また、デジタル処理部３１２は、ＬＰＦ回路３０１、周波数誤差補正回路３０３、シンボル同期検出回路３０４、ＧＩ付け換え回路３０５及びセグメント配置回路３０２から構成される。図１に示した実施例１の再送信装置１とこの再送信装置２とを比較すると、両装置共に、受信アンテナ部１００、チューナー部２００、加算回路４００、再送信部５００及び送信アンテナ部６００を備えている点で同一であるが、再送信装置２のデジタル処理部３１２は、再送信装置１のデジタル処理部３１１の構成に加えて、周波数誤差補正回路３０３、シンボル同期検出回路３０４及びＧＩ付け換え回路３０５を備えている点で相違する。以下、図４において、図１と共通する部分には図１と同一の符号を付し、その詳しい説明は省略する。
【００３０】
デジタル処理部３１２がチューナー部２００により選択されたチャンネルの等価ベースバンド信号を入力すると、ＬＰＦ回路３０１は、フィルタ処理によってワンセグ部分（部分受信部）の信号のみを抜き出す。ＬＰＦ回路３０１の出力は２分配され、一方が周波数誤差補正回路３０３に入力され、他方がシンボル同期検出回路３０４に入力される。
【００３１】
シンボル同期検出回路３０４は、ＬＰＦ回路３０１により抜き出されたワンセグ部分の信号を入力し、ワンセグ部分の信号の周波数誤差量及びシンボルの先頭位置を検出し、周波数誤差量を周波数誤差補正回路３０３に出力し、シンボルの先頭位置情報をＧＩ付け換え回路３０５に出力する。
【００３２】
シンボル同期を検出する一例を以下に示す。一般に、ＯＦＤＭシンボルは、ガード期間及び有効シンボル期間で構成され、ガード期間の信号が有効シンボルの後ろの一部から巡回的に複写されている。シンボル同期検出回路３０４は、この構成を利用してガード相関を求め、周波数誤差量及びシンボルの先頭位置を検出する。具体的には、入力した信号（ガード期間及び有効シンボル期間から構成される信号）と、この入力信号を有効シンボル期間だけ遅延させた信号とについて、これらの信号を乗算してガード期間幅の移動平均を求めることにより両信号のガード相関を求める。そして、求めたガード相関の値がピークとなる箇所をシンボルの境界（すなわちシンボルの先頭位置）として検出する。また、入力した信号（等価ベースバンド信号）のＩ軸データと有効シンボル期間だけ遅延させたＩ軸データとの相関（Ｓｉｉ）、及び、入力した信号のＩ軸データと有効シンボル期間だけ遅延させたＱ軸データとの相関（Ｓｉｑ）をそれぞれ求め、これらの相関値に基づいて周波数誤差量を検出する。尚、シンボルの先頭位置及び周波数誤差量の検出手法の詳細については、“関隆史他、「ＯＦＤＭにおけるガード期間を利用した新しい周波数同期方式の検討」、テレビジョン学会技術報告、１９９５年８月２４日”を参照されたい。
【００３３】
周波数誤差補正回路３０３は、ＬＰＦ回路３０１からワンセグ部分の信号を入力し、シンボル同期検出回路３０４から周波数誤差量を入力し、入力したワンセグ部分の信号における周波数誤差を、入力した周波数誤差量を用いて補正する。受信変換回路２０１では、周波数変換を行う際に用いるローカル周波数にジッタが含まれることから、周波数成分に誤差が生じてしまい、加算回路４００では各チャンネルのワンセグ部分の信号を合成する際にキャリア間干渉を引き起こしてしまう可能性がある。この周波数誤差補正回路３０３により、周波数変換の際の周波数成分誤差に起因したキャリア間干渉を防止することができる。
【００３４】
ＧＩ付け換え回路３０５は、周波数誤差補正回路３０３から補正されたワンセグ部分の信号を入力し、シンボル同期検出回路３０４からシンボル先頭位置情報を入力し、入力したワンセグ部分の信号に対し、入力したシンボル先頭位置情報を基準にして１シンボル長の信号を抽出してＧＩの付け換えを行う。
【００３５】
図５は、ＧＩ付け換え回路３０５の処理を説明する図である。ＧＩ付け換え回路３０５は、ガード期間及び有効シンボル期間で構成されたＯＦＤＭシンボルのうちのガード期間の信号が有効シンボルの後部に複写されていることを利用して、入力したワンセグ部分の信号に対し、１シンボル長の信号における先頭部分の歪みを以下の処理により除去する。まず、ＧＩ付け換え回路３０５は、入力したシンボル先頭位置情報に基づいてシンボル先頭位置を特定し（１）、そこからＧＩ／２の位置を始点として、有効シンボル長の信号を抽出する（２）。そして、抽出した有効シンボル長の信号の先頭からＧＩ／２の位置までの間の信号を後部に配列して並び替え（３）、予め設定されたＧＩ比に応じて、並び替えた信号の後部を先頭にＧＩとして付加する（４）。このようにして、新たな１シンボル長の信号を得る。ＬＰＦ回路３０１では、フィルタ処理により１シンボル長の先頭及び後ろの箇所に歪みが生じる可能性がある。このＧＩ付け換え回路３０５により、フィルタ処理に起因した信号の歪みを除去することができる。
【００３６】
図４に戻って、セグメント配置回路３０２は、ＧＩ付け換え回路３０５によりＧＩが付け替えられたワンセグ部分の信号を入力し、１つの等価ベースバンド信号に連結する際に配置されるセグメントへの周波数変換を行う。
【００３７】
以上のように、実施例２による地上デジタル放送の再送信装置２によれば、実施例１と同様の効果を得ることができる。また、周波数誤差補正回路３０３によって、受信変換回路２０１が周波数変換を行う際にローカル周波数に含まれるジッタに起因した周波数成分の誤差をなくし、加算回路４００でのキャリア間干渉を防止することができる。また、ＧＩ付け換え回路３０５によって、ＬＰＦ回路３０１のフィルタ処理により生じる信号の１シンボル長の先頭及び後ろの箇所の歪みを除去することができる。この結果、再送信装置２からの再送信信号を受信する受信装置において、シンボル同期の精度が向上し、周波数誤差補正量が正確になり、再送信装置２内の劣化を低減することができる。
【実施例３】
【００３８】
次に、実施例３について説明する。この実施例３は、受信変換回路２０１が周波数変換を行う際にローカル周波数に含まれるジッタに起因した周波数成分の誤差をなくし、加算回路４００でのキャリア間干渉を防止すると共に、各系統のワンセグ部分の信号に対しシンボルタイミングを合わせて再送信するものである。
【００３９】
図６は、本発明の実施の形態による地上デジタル放送の再送信装置の構成（実施例３）を示すブロック図である。この再送信装置３は、受信アンテナ部１００（図示せず）、Ｎ個のチューナー部２００、Ｎ個のデジタル処理部３１３、遅延時間調整回路３０７−３、加算回路４００、再送信部５００、及び送信アンテナ部６００（図示せず）から構成される。尚、デジタル処理部３１３はＮ系統により構成され、それぞれの系統は同じ回路で構成されるので、以下、１系統のみについて説明する。また、デジタル処理部３１３は、ＬＰＦ回路３０１、周波数誤差補正回路３０３、シンボル同期検出回路３０４、デジタル遅延回路３０６及びセグメント配置回路３０２から構成される。図４に示した実施例２の再送信装置２とこの再送信装置３とを比較すると、両装置共に、受信アンテナ部１００、チューナー部２００、加算回路４００、再送信部５００及び送信アンテナ部６００を備えている点で同一であるが、再送信装置３のデジタル処理部３１３は、再送信装置２のデジタル処理部３１２とは異なる構成になっており、再送信装置３は、さらに遅延時間調整回路３０７−３を備えている点で相違する。以下、図６において、図４と共通する部分には図４と同一の符号を付し、その詳しい説明は省略する。
【００４０】
シンボル同期検出回路３０４は、ＬＰＦ回路３０１により抜き出されたワンセグ部分の信号を入力し、ガード相関によりワンセグ部分の信号の周波数誤差量及びシンボルの先頭位置を検出し、周波数誤差量を周波数誤差補正回路３０３に出力し、シンボルの先頭位置情報を遅延時間調整回路３０７−３に出力する。
【００４１】
遅延時間調整回路３０７−３は、各系統のデジタル処理部３１３−１〜Ｎのシンボル同期検出回路３０４からシンボルの先頭位置情報をそれぞれ入力し、いずれかの等価ベースバンド信号の受信タイミングを基準にして、各系統の等価ベースバンド信号のシンボル先頭タイミングが一致するように、各系統の遅延時間を算出する。
【００４２】
各系統のデジタル遅延回路３０６は、周波数誤差補正回路３０３により周波数誤差補正されたワンセグ部分の信号を入力し、遅延時間調整回路３０７−３により算出された遅延時間を入力し、周波数誤差補正された信号を遅延時間分だけ遅延させる。チューナー部２００によるチューナー処理及びデジタル処理部３１３によるデジタル処理は、系統毎に行われるため、各系統のシンボルタイミングにずれが生じる可能性がある。このデジタル遅延回路３０６及び遅延時間調整回路３０７−３により、各系統のワンセグ部分の信号のシンボルタイミングを合わせることができる。
【００４３】
セグメント配置回路３０２は、デジタル遅延回路３０６により遅延処理されたワンセグ部分の信号を入力し、１つの等価ベースバンド信号に連結する際に配置されるセグメントへの周波数変換を行う。
【００４４】
以上のように、実施例３による地上デジタル放送の再送信装置３によれば、実施例１と同様の効果を得ることができる。また、周波数誤差補正回路３０３によって、受信変換回路２０１が周波数変換を行う際にローカル周波数に含まれるジッタに起因した周波数成分の誤差をなくし、加算回路４００でのキャリア間干渉を防止することができる。
【００４５】
さらに、デジタル遅延回路３０６及び遅延時間調整回路３０７−３によって、各系統のワンセグ部分の信号のシンボルタイミングを合わせることができる。これにより、各等価ベースバンド信号のシンボル先頭位置を揃えることができるため、加算回路４００において１つの等価ベースバンド信号として連結した際、全１３セグメントのシンボル同期のタイミングを揃えて再送信することが可能となる。この結果、再送信装置３からの再送信信号を受信する受信装置において、シンボル同期の精度が向上し、周波数誤差補正量が正確になる。
【実施例４】
【００４６】
次に、実施例４について説明する。この実施例４は、受信変換回路２０１が周波数変換を行う際にローカル周波数に含まれるジッタに起因した周波数成分の誤差をなくし、加算回路４００でのキャリア間干渉を防止すると共に、各系統のワンセグ部分の信号のシンボル先頭位置及びＳＰパターンが一致するように、シンボルタイミングを合わせて再送信するものである。
【００４７】
図７は、本発明の実施の形態による地上デジタル放送の再送信装置の構成（実施例４）を示すブロック図である。この再送信装置４は、受信アンテナ部１００（図示せず）、Ｎ個のチューナー部２００、Ｎ個のデジタル処理部３１４、遅延時間調整回路３０７−４、加算回路４００、再送信部５００、及び送信アンテナ部６００（図示せず）から構成される。尚、デジタル処理部３１４はＮ系統により構成され、それぞれの系統は同じ回路で構成されるので、以下、１系統のみについて説明する。また、デジタル処理部３１４は、ＬＰＦ回路３０１、周波数誤差補正回路３０３、シンボル同期検出回路３０４、ＦＦＴ回路３０８、ＳＰパターン検出回路３０９、デジタル遅延回路３０６及びセグメント配置回路３０２から構成される。図６に示した実施例３の再送信装置３とこの再送信装置４とを比較すると、両装置共に、受信アンテナ部１００、チューナー部２００、加算回路４００、再送信部５００及び送信アンテナ部６００を備えている点で同一であるが、再送信装置４のデジタル処理部３１４は、再送信装置３のデジタル処理部３１３の構成に加えて、ＦＦＴ回路３０８及びＳＰパターン検出回路３０９を備えている点、及び、再送信装置３の遅延時間調整回路３０７−３とは異なる構成の遅延時間調整回路３０７−４を備えている点で相違する。以下、図７において、図６と共通する部分には図６と同一の符号を付し、その詳しい説明は省略する。
【００４８】
シンボル同期検出回路３０４は、ＬＰＦ回路３０１により抜き出されたワンセグ部分の信号を入力し、ガード相関によりワンセグ部分の信号の周波数誤差量及びシンボルの先頭位置を検出し、周波数誤差量を周波数誤差補正回路３０３に出力し、シンボルの先頭位置情報を遅延時間調整回路３０７−４に出力する。また、ワンセグ部分の信号について有効シンボル期間の開始を示すタイミング信号を生成し、ＦＦＴ回路３０８に出力する。
【００４９】
周波数誤差補正回路３０３は、ＬＰＦ回路３０１からワンセグ部分の信号を入力し、シンボル同期検出回路３０４から周波数誤差量を入力し、ワンセグ部分の信号における周波数誤差を周波数誤差量を用いて補正し、周波数誤差補正したワンセグ部分の信号をデジタル遅延回路３０６及びＦＦＴ回路３０８に出力する。
【００５０】
ＦＦＴ回路３０８は、周波数誤差補正回路３０３から周波数誤差補正されたワンセグ部分の信号を入力し、シンボル同期検出回路３０４から有効シンボルのタイミング信号を入力し、フーリエ変換により、時間領域のワンセグ部分における有効シンボルの信号を周波数領域の信号に変換する。
【００５１】
ＳＰパターン検出回路３０９は、ＦＦＴ回路３０８から周波数領域のワンセグ部分の信号を入力し、ＩＳＤＢ−Ｔ方式のＳＰの配置パターン（全４パターン）のうちのどのパターンであるかを検出する。
【００５２】
図８は、ＳＰの配列を示すパターン図である。図８に示すように、ＩＳＤＢ−Ｔ方式のＳＰパターンにはＳＰパターン１〜４の４つが存在する。ＳＰパターン検出回路３０９は、入力した周波数領域のワンセグ部分の信号に対し、４つのＳＰパターン１〜４のうちのいずれかのパターンを検出する。
【００５３】
遅延時間調整回路３０７−４は、各系統のデジタル処理部３１４−１〜Ｎのシンボル同期検出回路３０４からシンボルの先頭位置情報をそれぞれ入力し、ＳＰパターン検出回路３０９からＳＰパターン情報をそれぞれ入力し、全ての等価ベ―スバンド信号のシンボル先頭位置及びＳＰパターンが一致するように、いずれかの等価ベースバンド信号の受信タイミングを基準にして各系統の遅延時間を算出する。
【００５４】
各系統のデジタル遅延回路３０６は、周波数誤差補正回路３０３により周波数誤差補正されたワンセグ部分の信号を入力し、遅延時間調整回路３０７−４により算出された遅延時間を入力し、周波数誤差補正された信号を遅延時間分だけ遅延させる。チューナー部２００によるチューナー処理及びデジタル処理部３１４によるデジタル処理は、系統毎に行われるため、各系統のシンボルタイミングにずれが生じる可能性がある。このデジタル遅延回路３０６及び遅延時間調整回路３０７−４により、各系統のワンセグ部分の信号のシンボルタイミングを、シンボルの先頭位置及びＳＰパターンが一致するように合わせることができる。
【００５５】
セグメント配置回路３０２は、デジタル遅延回路３０６により遅延処理されたワンセグ部分の信号を入力し、１つの等価ベースバンド信号に連結する際に配置されるセグメントへの周波数変換を行う。
【００５６】
以上のように、実施例４による地上デジタル放送の再送信装置４によれば、実施例１と同様の効果を得ることができる。また、周波数誤差補正回路３０３によって、受信変換回路２０１が周波数変換を行う際にローカル周波数に含まれるジッタに起因した周波数成分の誤差をなくし、加算回路４００でのキャリア間干渉を防止することができる。
【００５７】
さらに、デジタル遅延回路３０６及び遅延時間調整回路３０７−４によって、各系統のワンセグ部分の信号のシンボルタイミング及びＳＰパターンを合わせることができる。これにより、加算回路４００において１つの等価ベースバンド信号として連結した際、全１３セグメントのシンボル同期のタイミングを揃えると共にＳＰパターンを揃えて再送信することが可能となる。この結果、再送信装置４からの再送信信号を受信する受信装置において、シンボル同期の精度が向上し、周波数誤差補正量が正確になり、かつ、等化処理を行う際に隣のセグメントのＳＰを使用することが可能となる。
【実施例５】
【００５８】
次に、実施例５について説明する。この実施例５は、受信変換回路２０１が周波数変換を行う際にローカル周波数に含まれるジッタに起因した周波数成分の誤差をなくし、加算回路４００でのキャリア間干渉を防止すると共に、各系統のワンセグ部分の信号に対しフレームの先頭位置を合わせて再送信するものである。
【００５９】
図９は、本発明の実施の形態による地上デジタル放送の再送信装置の構成（実施例５）を示すブロック図である。この再送信装置５は、受信アンテナ部１００（図示せず）、Ｎ個のチューナー部２００、Ｎ個のデジタル処理部３１５、遅延時間調整回路３０７−５、加算回路４００、再送信部５００、及び送信アンテナ部６００（図示せず）から構成される。尚、デジタル処理部３１５はＮ系統により構成され、それぞれの系統は同じ回路で構成されるので、以下、１系統のみについて説明する。また、デジタル処理部３１５は、ＬＰＦ回路３０１、周波数誤差補正回路３０３、シンボル同期検出回路３０４、ＦＦＴ回路３０８、フレーム同期検出回路３１０、デジタル遅延回路３０６及びセグメント配置回路３０２から構成される。図７に示した実施例４の再送信装置４とこの再送信装置５とを比較すると、両装置共に、受信アンテナ部１００、チューナー部２００、加算回路４００、再送信部５００及び送信アンテナ部６００を備えている点で同一であるが、再送信装置５のデジタル処理部３１５は、再送信装置４のデジタル処理部３１４におけるＳＰパターン検出回路３０９の代わりにフレーム同期検出回路３１０を備えている点、及び、再送信装置５は、再送信装置４の遅延時間調整回路３０７−４とは異なる構成の遅延時間調整回路３０７−５を備えている点で相違する。以下、図９において、図７と共通する部分には図７と同一の符号を付し、その詳しい説明は省略する。
【００６０】
フレーム同期検出回路３１０は、ＦＦＴ回路３０８から周波数領域のワンセグ部分の信号を入力し、このＩＳＤＢ−Ｔ方式の信号に含まれるＴＭＣＣ（Ｔｒａｎｓｍｉｓｓｉｏｎ ａｎｄ Ｍｕｌｔｉｐｌｅｘｉｎｇ Ｃｏｎｆｉｇｕｒａｔｉｏｎ Ｃｏｎｔｒｏｌ）信号からフレーム先頭位置を検出し、復調する。そして、検出したフレーム先頭位置情報を遅延時間調整回路３０７−５に出力する。ここで、ＩＳＤＢ−Ｔ方式のＴＭＣＣ信号にはフレーム情報が付加されているため、ＴＭＣＣ信号を監視することにより、フレーム先頭位置を検出することができる。
【００６１】
遅延時間調整回路３０７−５は、各系統のデジタル処理部３１５−１〜Ｎのシンボル同期検出回路３０４からシンボル先頭位置情報をそれぞれ入力し、フレーム同期検出回路３１０からフレーム先頭位置情報をそれぞれ入力し、全ての等価ベースバンド信号のシンボル先頭位置及びフレーム先頭位置が一致するように、いずれかの等価ベースバンド信号の受信タイミングを基準にして各系統の遅延時間を算出する。
【００６２】
各系統のデジタル遅延回路３０６は、周波数誤差補正回路３０３により周波数誤差補正されたワンセグ部分の信号を入力し、遅延時間調整回路３０７−５により算出された遅延時間を入力し、周波数誤差補正された信号を遅延時間分だけ遅延させる。チューナー部２００によるチューナー処理及びデジタル処理部３１５によるデジタル処理は、系統毎に行われるため、各系統のフレームタイミングにずれが生じる可能性がある。このデジタル遅延回路３０６及び遅延時間調整回路３０７−５により、各系統のワンセグ部分の信号のシンボルタイミングを、フレーム先頭位置が一致するように合わせることができる。この場合、フレーム先頭位置が一致すると、シンボル先頭位置及びＳＰパターンも一致する。
【００６３】
セグメント配置回路３０２は、デジタル遅延回路３０６により遅延処理されたワンセグ部分の信号を入力し、１つの等価ベースバンド信号に連結する際に配置されるセグメントへの周波数変換を行う。
【００６４】
以上のように、実施例５による地上デジタル放送の再送信装置５によれば、実施例１と同様の効果を得ることができる。また、周波数誤差補正回路３０３によって、受信変換回路２０１が周波数変換を行う際にローカル周波数に含まれるジッタに起因した周波数成分の誤差をなくし、加算回路４００でのキャリア間干渉を防止することができる。
【００６５】
さらに、デジタル遅延回路３０６及び遅延時間調整回路３０７−５によって、各系統のワンセグ部分の信号のフレーム先頭位置を合わせることができる。これにより、加算回路４００において１つの等価ベースバンド信号として連結した際、全１３セグメントのフレーム同期のタイミングを揃えると共に、シンボル同期のタイミング及びＳＰパターンも揃えて再送信することが可能となる。この結果、再送信装置５からの再送信信号を受信する受信装置において、シンボル同期の精度が向上し、周波数誤差補正量が正確になり、かつ、等化処理を行う際に隣のセグメントのＳＰを使用することが可能となる。
【実施例６】
【００６６】
次に、実施例６について説明する。この実施例６は、実施例１の手法を用いて、地上デジタルテレビジョン放送とは別に独自に生成したＴＳ信号を付加して、地上デジタルテレビジョン放送と共に送信するものである。すなわち、受信するＮ波の地上デジタル放送におけるＮ個の部分受信部の信号とＭ個の独自ＴＳ信号とを、１つのチャンネル内（帯域６ＭＨｚ）に連結して送信するものである。尚、Ｎ＋Ｍ≦１３である（以下同じ）。
【００６７】
図１０は、本発明の実施の形態による地上デジタル放送の再送信装置の構成（実施例６）を示すブロック図である。この再送信装置６は、受信アンテナ部１００、Ｎ個のチューナー部２００、Ｎ個のデジタル処理部３１１、Ｍ個の変調部７２１、加算回路４００、再送信部５００、及び送信アンテナ部６００から構成される。尚、変調部７２１はＭ系統により構成され、それぞれの系統は同じ回路で構成されるので、以下、１系統のみについて説明する。また、変調部７２１は、ＯＦＤＭ変調回路７０１、ＯＦＤＭフレーム化処理回路７０２、逆フーリエ変換回路７０３、ＧＩ付加回路７０４及びセグメント配置回路７０５から構成される。図１に示した実施例１の再送信装置１とこの再送信装置６とを比較すると、両装置共に、受信アンテナ部１００、チューナー部２００、デジタル処理部３１１、加算回路４００、再送信部５００及び送信アンテナ部６００を備えている点で同一であるが、再送信装置６は、再送信装置１の構成に加えてさらにＭ個の変調部７２１を備えている点で相違する。以下、図１０において、図１と共通する部分には図１と同一の符号を付し、その詳しい説明は省略する。
【００６８】
変調部７２１に自治放送、コミュニティー放送、コマーシャル、自主制作等の独自ＴＳ（例えばＭＰＥＧ（Ｍｏｖｉｎｇ Ｐｉｃｔｕｒｅ Ｅｘｐｅｒｔｓ Ｇｒｏｕｐ）− ＴＳ）信号を入力すると、変調部７２１のＯＦＤＭ変調回路７０１は、入力した独自ＴＳ信号に誤り訂正符号を付加し、ＱＰＳＫ（Ｑｕａｄｒａｔｕｒｅ Ｐｈａｓｅ Ｓｈｉｆｔ Ｋｅｙｉｎｇ）変調、１６ＱＡＭ（Ｑｕａｄｒａｔｕｒｅ Ａｍｐｌｉｔｕｄｅ Ｍｏｄｕｌａｔｉｏｎ）変調、６４ＱＡＭ変調等のレートや目的に合わせたキャリア変調を行い、各種インターリーブ処理を施す。
【００６９】
ＯＦＤＭフレーム化処理回路７０２は、ＯＦＤＭ変調回路７０１により変調された信号を入力し、地上デジタル放送の部分受信部と同じ配置にパイロットキャリア、ＡＣ（Ａｕｘｉｌｉａｒｙ Ｃｈａｎｎｅｌ）及びＴＭＣＣを付加してＯＦＤＭフレーム化処理を行う。
【００７０】
逆フーリエ変換回路７０３は、ＯＦＤＭフレーム化処理回路７０２によりＯＦＤＭフレーム化処理された信号を入力し、その信号の１シンボル分のキャリアデータを時間領域の信号に逆フーリエ変換する。ＧＩ付加回路７０４は、逆フーリエ変換回路７０３により逆フーリエ変換された時間領域の信号を入力し、予め設定されたＧＩ比に応じてＧＩの付加を行う。セグメント配置回路７０５は、ＧＩ付加回路７０４によりＧＩが付加された信号を入力し、１つの等価ベースバンド信号に連結する際に配置されるセグメントへの周波数変換を行う。このセグメント配置回路７０５は、機能的にセグメント配置回路３０２と同一である。
【００７１】
加算回路４００は、Ｎ系統のデジタル処理部３１１によりデジタル処理されたワンセグ部分の等価ベースバンド信号を入力し、Ｍ系統の変調部７２１により変調が施された独自ＴＳ信号の等価ベースバンド信号を入力し、これらの等価ベースバンド信号を加算合成する。
【００７２】
以上のように、実施例６による地上デジタル放送の再送信装置６によれば、実施例１と同様の効果を得ることができると共に、地上デジタルテレビジョン放送とは別に独自に生成したＴＳ信号を付加して、地上デジタルテレビジョン放送と共に送信することができる。
【実施例７】
【００７３】
次に、実施例７について説明する。この実施例７は、実施例２の手法を用いて、受信するＮ波の地上デジタル放送におけるＮ個の部分受信部の信号とＭ個の独自ＴＳ信号とを、１つのチャンネル内に連結して送信するものである。
【００７４】
図１１は、本発明の実施の形態による地上デジタル放送の再送信装置の構成（実施例７）を示すブロック図である。この再送信装置７は、受信アンテナ部１００、Ｎ個のチューナー部２００、Ｎ個のデジタル処理部３１２、Ｍ個の変調部７２１、加算回路４００、再送信部５００、及び送信アンテナ部６００から構成される。図２に示した実施例２の再送信装置２とこの再送信装置７とを比較すると、再送信装置７が、再送信装置２の構成に加えてさらに変調部７２１を備えている点で相違する。また、図１０に示した実施例６の再送信装置６とこの再送信装置７とを比較すると、再送信装置７が、再送信装置６のデジタル処理部３１１とは異なる構成のデジタル処理部３１２を備えている点で相違する。
【００７５】
受信アンテナ部１００、チューナー部２００、デジタル処理部３１２、加算回路４００、再送信部５００及び送信アンテナ部６００は、実施例２における再送信装置２のものと同一であるので、説明を省略する。また、変調部７２１は、実施例６における再送信装置６のものと同一であるので、説明を省略する。
【００７６】
以上のように、実施例７による地上デジタル放送の再送信装置７によれば、実施例２と同様の効果を得ることができると共に、地上デジタルテレビジョン放送とは別に独自に生成したＴＳ信号を付加して、地上デジタルテレビジョン放送と共に送信することができる。
【実施例８】
【００７７】
次に、実施例８について説明する。この実施例８は、実施例３の手法を用いて、受信するＮ波の地上デジタル放送におけるＮ個の部分受信部の信号とＭ個の独自ＴＳ信号とを、１つのチャンネル内に連結して送信するものであり、特に、各系統の部分受信部の信号及び独自ＴＳ信号におけるシンボルタイミングを合わせて送信するものである。
【００７８】
図１２は、本発明の実施の形態による地上デジタル放送の再送信装置の構成（実施例８）を示すブロック図である。この再送信装置８は、受信アンテナ部１００、Ｎ個のチューナー部２００、Ｎ個のデジタル処理部３１３、Ｍ個の変調部７２３、遅延時間調整回路３０７−８、加算回路４００、再送信部５００、及び送信アンテナ部６００から構成される。尚、変調部７２３はＭ系統により構成され、それぞれの系統は同じ回路で構成されるので、以下、１系統のみについて説明する。また、変調部７２３は、ＯＦＤＭ変調回路７０１、ＯＦＤＭフレーム化処理回路７０２、逆フーリエ変換回路７０３、ＧＩ付加回路７０４、デジタル遅延回路７０６及びセグメント配置回路７０５から構成される。図３に示した実施例３の再送信装置３とこの再送信装置８とを比較すると、両装置共に、受信アンテナ部１００、チューナー部２００、デジタル処理部３１３、加算回路４００、再送信部５００及び送信アンテナ部６００を備えている点で同一であるが、再送信装置８は、Ｍ個の変調部７２３を備えている点、及び再送信装置３の遅延時間調整回路３０７−３とは異なる構成の遅延時間調整回路３０７−８を備えている点で相違する。以下、図１２において、図３と共通する部分には図３と同一の符号を付し、その詳しい説明は省略する。また、変調部７２３のＯＦＤＭ変調回路７０１、ＯＦＤＭフレーム化処理回路７０２及び逆フーリエ変換回路７０３は、図１０に示した再送信装置６の変調部７２１のものと同一であるので、その詳しい説明は省略する。
【００７９】
変調部７２３のＧＩ付加回路７０４は、逆フーリエ変換回路７０３により逆フーリエ変換された時間領域の信号を入力し、予め設定されたＧＩ比に応じてＧＩの付加を行う。また、シンボルの先頭位置情報を遅延時間調整回路３０７−８に出力する。
【００８０】
遅延時間調整回路３０７−８は、各系統のデジタル処理部３１３−１〜Ｎのシンボル同期検出回路３０４からシンボルの先頭位置情報をそれぞれ入力し、各系統の変調部７２３−１〜ＭのＧＩ付加回路７０４からシンボルの先頭位置情報をそれぞれ入力し、いずれかの等価ベースバンド信号の受信タイミングを基準にして、各系統の等価ベースバンド信号のシンボル先頭タイミングが一致するように、各系統の遅延時間を算出する。
【００８１】
変調部７２３における各系統のデジタル遅延回路７０６は、ＧＩ付加回路７０４によりＧＩが付加された時間領域の信号を入力し、遅延時間調整回路３０７−８により算出された遅延時間を入力し、遅延時間分だけ遅延させる。
【００８２】
セグメント配置回路７０５は、デジタル遅延回路７０６により遅延させた信号を入力し、１つの等価ベースバンド信号に連結する際に配置されるセグメントへの周波数変換を行う。
【００８３】
加算回路４００は、Ｎ系統のデジタル処理部３１３によりデジタル処理されたワンセグ部分の等価ベースバンド信号を入力し、Ｍ系統の変調部７２３により変調が施された独自ＴＳ信号の等価ベースバンド信号を入力し、これらの等価ベースバンド信号を加算合成する。
【００８４】
以上のように、実施例８による地上デジタル放送の再送信装置８によれば、実施例３と同様の効果を得ることができると共に、地上デジタルテレビジョン放送とは別に独自に生成したＴＳ信号を付加して、地上デジタルテレビジョン放送と共に送信することができる。
【００８５】
また、各系統のワンセグ部分の信号及び独自ＴＳ信号のシンボルタイミングを合わせることができる。これにより、各等価ベースバンド信号のシンボル先頭位置を揃えることができるため、加算回路４００において１つの等価ベースバンド信号として連結した際、シンボル同期のタイミングを揃えて送信することが可能となる。
【実施例９】
【００８６】
次に、実施例９について説明する。この実施例９は、実施例４の手法を用いて、受信するＮ波の地上デジタル放送におけるＮ個の部分受信部の信号とＭ個の独自ＴＳ信号とを、１つのチャンネル内に連結して送信するものであり、特に、各系統の部分受信部の信号及び独自ＴＳ信号におけるシンボルタイミング及びＳＰパターンを合わせて送信するものである。
【００８７】
図１３は、本発明の実施の形態による地上デジタル放送の再送信装置の構成（実施例９）を示すブロック図である。この再送信装置９は、受信アンテナ部１００、Ｎ個のチューナー部２００、Ｎ個のデジタル処理部３１４、Ｍ個の変調部７２３、遅延時間調整回路３０７−９、加算回路４００、再送信部５００、及び送信アンテナ部６００から構成される。尚、変調部７２３はＭ系統により構成され、それぞれの系統は同じ回路で構成されるので、以下、１系統のみについて説明する。図４に示した実施例４の再送信装置４とこの再送信装置９とを比較すると、両装置共に、受信アンテナ部１００、チューナー部２００、デジタル処理部３１４、加算回路４００、再送信部５００及び送信アンテナ部６００を備えている点で同一であるが、再送信装置９は、Ｍ個の変調部７２３を備えている点、及び再送信装置４の遅延時間調整回路３０７−４とは異なる構成の遅延時間調整回路３０７−９を備えている点で相違する。また、図１２に示した実施例８の再送信装置８とこの再送信装置９とを比較すると、再送信装置９は、再送信装置８のデジタル処理部３１３及び遅延時間調整回路３０７−８とは異なる構成のデジタル処理部３１４及び遅延時間調整回路３０７−９を備えている点で相違する。以下、図１３において、図４と共通する部分には図４と同一の符号を付し、その詳しい説明は省略する。また、変調部７２３のＯＦＤＭ変調回路７０１、ＯＦＤＭフレーム化処理回路７０２及び逆フーリエ変換回路７０３は、図１２に示した再送信装置８の変調部７２３のものと同一であるので、その詳しい説明は省略する。
【００８８】
変調部７２３のＧＩ付加回路７０４は、逆フーリエ変換回路７０３により逆フーリエ変換された時間領域の信号を入力し、予め設定されたＧＩ比に応じてＧＩの付加を行う。また、シンボルの先頭位置情報及びＳＰパターン情報を遅延時間調整回路３０７−９に出力する。
【００８９】
遅延時間調整回路３０７−９は、各系統のデジタル処理部３１３−１〜Ｎからシンボルの先頭位置情報及びＳＰパターン情報をそれぞれ入力し、各系統の変調部７２３−１〜ＭのＧＩ付加回路７０４からシンボルの先頭位置情報及びＳＰパターン情報をそれぞれ入力し、いずれかの等価ベースバンド信号の受信タイミングを基準にして、各系統の等価ベースバンド信号のシンボル先頭タイミング及びＳＰパターンが一致するように、各系統の遅延時間を算出する。
【００９０】
変調部７２３における各系統のデジタル遅延回路７０６は、ＧＩ付加回路７０４によりＧＩが付加された時間領域の信号を入力し、遅延時間調整回路３０７−９により算出された遅延時間を入力し、遅延時間分だけ遅延させる。
【００９１】
セグメント配置回路７０５は、デジタル遅延回路７０６により遅延させた信号を入力し、１つの等価ベースバンド信号に連結する際に配置されるセグメントへの周波数変換を行う。
【００９２】
加算回路４００は、Ｎ系統のデジタル処理部３１４によりデジタル処理されたワンセグ部分の等価ベースバンド信号を入力し、Ｍ系統の変調部７２３により変調が施された独自ＴＳ信号の等価ベースバンド信号を入力し、これらの等価ベースバンド信号を加算合成する。
【００９３】
以上のように、実施例９による地上デジタル放送の再送信装置９によれば、実施例４と同様の効果を得ることができると共に、地上デジタルテレビジョン放送とは別に独自に生成したＴＳ信号を付加して、地上デジタルテレビジョン放送と共に送信することができる。
【００９４】
また、各系統のワンセグ部分の信号及び独自ＴＳ信号のシンボルタイミング及びＳＰパターンを合わせることができる。これにより、各等価ベースバンド信号のシンボル先頭位置及びＳＰパターンを揃えることができるため、加算回路４００において１つの等価ベースバンド信号として連結した際、シンボル同期のタイミングを揃えると共にＳＰパターンを揃えて送信することが可能となる。
【実施例１０】
【００９５】
次に、実施例１０について説明する。この実施例１０は、実施例５の手法を用いて、受信するＮ波の地上デジタル放送におけるＮ個の部分受信部の信号とＭ個の独自ＴＳ信号とを、１つのチャンネル内に連結して送信するものであり、特に、各系統の部分受信部の信号及び独自ＴＳ信号におけるフレーム先頭位置を合わせて送信するものである。
【００９６】
図１４は、本発明の実施の形態による地上デジタル放送の再送信装置の構成（実施例１０）を示すブロック図である。この再送信装置１０は、受信アンテナ部１００、Ｎ個のチューナー部２００、Ｎ個のデジタル処理部３１５、Ｍ個の変調部７２３、遅延時間調整回路３０７−１０、加算回路４００、再送信部５００、及び送信アンテナ部６００から構成される。尚、変調部７２３はＭ系統により構成され、それぞれの系統は同じ回路で構成されるので、以下、１系統のみについて説明する。図５に示した実施例５の再送信装置５とこの再送信装置１０とを比較すると、両装置共に、受信アンテナ部１００、チューナー部２００、デジタル処理部３１５、加算回路４００、再送信部５００及び送信アンテナ部６００を備えている点で同一であるが、再送信装置９は、Ｍ個の変調部７２３を備えている点、及び再送信装置５の遅延時間調整回路３０７−５とは異なる構成の遅延時間調整回路３０７−１０を備えている点で相違する。また、図１３に示した実施例９の再送信装置９とこの再送信装置１０とを比較すると、再送信装置１０は、再送信装置９のデジタル処理部３１４及び遅延時間調整回路３０７−９とは異なる構成のデジタル処理部３１５及び遅延時間調整回路３０７−１０を備えている点で相違する。以下、図１４において、図５と共通する部分には図５と同一の符号を付し、その詳しい説明は省略する。また、変調部７２３のＯＦＤＭ変調回路７０１、ＯＦＤＭフレーム化処理回路７０２及び逆フーリエ変換回路７０３は、図１３に示した再送信装置９の変調部７２３のものと同一であるので、その詳しい説明は省略する。
【００９７】
変調部７２３のＧＩ付加回路７０４は、逆フーリエ変換回路７０３により逆フーリエ変換された時間領域の信号を入力し、予め設定されたＧＩ比に応じてＧＩの付加を行う。また、フレームの先頭位置情報を遅延時間調整回路３０７−１０に出力する。
【００９８】
遅延時間調整回路３０７−１０は、各系統のデジタル処理部３１３−１〜Ｎからフレームの先頭位置情報をそれぞれ入力し、各系統の変調部７２３−１〜ＭのＧＩ付加回路７０４からフレームの先頭位置情報をそれぞれ入力し、いずれかの等価ベースバンド信号の受信タイミングを基準にして、各系統の等価ベースバンド信号のフレーム先頭タイミングが一致するように、各系統の遅延時間を算出する。
【００９９】
変調部７２３における各系統のデジタル遅延回路７０６は、ＧＩ付加回路７０４によりＧＩが付加された時間領域の信号を入力し、遅延時間調整回路３０７−１０により算出された遅延時間を入力し、遅延時間分だけ遅延させる。
【０１００】
セグメント配置回路７０５は、デジタル遅延回路７０６により遅延させた信号を入力し、１つの等価ベースバンド信号に連結する際に配置されるセグメントへの周波数変換を行う。
【０１０１】
加算回路４００は、Ｎ系統のデジタル処理部３１５によりデジタル処理されたワンセグ部分の等価ベースバンド信号を入力し、Ｍ系統の変調部７２３により変調が施された独自ＴＳ信号の等価ベースバンド信号を入力し、これらの等価ベースバンド信号を加算合成する。
【０１０２】
以上のように、実施例１０による地上デジタル放送の再送信装置１０によれば、実施例５と同様の効果を得ることができると共に、地上デジタルテレビジョン放送とは別に独自に生成したＴＳ信号を付加して、地上デジタルテレビジョン放送と共に送信することができる。
【０１０３】
また、各系統のワンセグ部分の信号及び独自ＴＳ信号のフレーム先頭位置を合わせることができる。これにより、各等価ベースバンド信号のフレーム先頭位置を揃えることができるため、加算回路４００において１つの等価ベースバンド信号として連結した際、フレーム同期のタイミングを揃えると共に、シンボル同期のタイミング及びＳＰパターンも揃えて再送信することが可能となる。
【０１０４】
以上、実施例を挙げて本発明を説明したが、本発明は前記実施例に限定されるものではなく、その技術思想を逸脱しない範囲で種々変形可能である。例えば、前記実施例では、受信アンテナ部１００が１つのアンテナにより構成されているが、必ずしも１つである必要はなく、複数のアンテナにより構成されるようにしてもよい。この場合、各チューナー部２００は、複数のアンテナのうちのいずれか一つのアンテナにより受信した地上デジタル放送を入力する。
【０１０５】
また、前記実施例では、チューナー部２００の受信変換回路２０１が、中間周波数による受信方式として、入力信号を中間周波数に変換しＳＡＷフィルタを通過させた後、低周波数に再度周波数変換するようにしたが、これに限定されるものではない。例えば、入力信号を０．５〜１．０ＭＨｚ程度の低中間周波数信号に直接変換するＬｏｗ−ＩＦ（低中間周波数）方式、入力信号を一度高い周波数（例えば２ＧＨｚ）に変換してＳＡＷフィルタを通過させた後、低い周波数（例えば１ＭＨｚ）に変換するダブル・コンバージョン（二重変換）方式、入力信号を等価ベースバンド信号に直接変換するダイレクト・コンバージョン（直接変換）方式を用いるようにしてもよい。尚、中間周波数による受信方式の詳細については、“羽鳥光俊監修、「１セグ放送教科書」、株式会社インプレスＲ＆Ｄ発行”を参照されたい。
【０１０６】
また、上記実施例では、地上デジタル放送を対象としたが、地上デジタル音声放送についても適用することができる。
【符号の説明】
【０１０７】
１〜１０ 再送信装置
１００ 受信アンテナ部
２００ チューナー部
２０１ 受信変換回路
２０２ ＡＤ変換回路
２０３ 直交復調回路
３０１ ＬＰＦ回路
３０２，７０５ セグメント配置回路
３０３ 周波数誤差補正回路
３０４ シンボル同期検出回路
３０５ ＧＩ付け換え回路
３０６，７０６ デジタル遅延回路
３０７ 遅延時間調整回路
３０８ ＦＦＴ回路
３０９ ＳＰパターン検出回路
３１０ フレーム同期検出回路
３１１〜３１５ デジタル処理部
４００ 加算回路
５００ 再送信部
５０１ 直交変調回路
５０２ ＤＡ変換回路
５０３ 送信変換回路
６００ 送信アンテナ部
７０１ ＯＦＤＭ変調回路
７０２ ＯＦＤＭフレーム化処理回路
７０３ 逆フーリエ変換回路
７０４ ＧＩ付加回路
７２１，７２３ 変調部
【図１】
2010035222.tif 000003
【図２】
2010035222.tif 000004
【図３】
2010035222.tif 000005
【図４】
2010035222.tif 000006
【図５】
2010035222.tif 000007
【図６】
2010035222.tif 000008
【図７】
2010035222.tif 000009
【図８】
2010035222.tif 000010
【図９】
2010035222.tif 000011
【図１０】
2010035222.tif 000012
【図１１】
2010035222.tif 000013
【図１２】
2010035222.tif 000014
【図１３】
2010035222.tif 000015
【図１４】
2010035222.tif 000016
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
複数のセグメントにより構成される地上デジタル放送を複数波受信し、これらの地上デジタル放送波から一つのセグメントをそれぞれ抜き出し、この抜き出したセグメントを連結して地上デジタル放送波として再送信する地上デジタル放送の再送信装置であって、
複数のチューナー部、前記チューナー部にそれぞれ対応した複数のデジタル処理部、加算部、及び再送信部を備え、
前記チューナー部は、
前記受信した地上デジタル放送の複数波のうちの一つの放送波を選択し、この放送波のＲＦ帯の信号をＩＦ帯の信号に変換する受信変換手段と、
前記受信変換手段により変換されたＩＦ信号をデジタルＩＦ信号に変換するＡＤ変換手段と、
前記ＡＤ変換手段により変換されたデジタルＩＦ信号に直交復調を施し、等価ベースバンド信号を出力する直交復調手段とを有し、
前記デジタル処理部は、
前記チューナー部の直交復調手段により出力された等価ベースバンド信号から一つのセグメントを抜き出すフィルタ手段と、
前記フィルタ手段により抜き出された一つのセグメントの等価ベースバンド信号を、複数のセグメントを連結するように所定の帯域幅内に周波数変換するセグメント配置手段とを有し、
前記加算部は、
前記複数のデジタル処理部のセグメント配置手段により周波数変換されたそれぞれの１つのセグメントの等価ベースバンド信号を加算合成する手段を有し、
前記再送信部は、
前記加算部により加算合成された等価ベースバンド信号に直交変調を施し、デジタルＩＦ信号を出力する直交変調手段と、
前記直交変調手段により出力されたデジタルＩＦ信号をアナログＩＦ信号に変換するＤＡ変換手段と、
前記ＤＡ変換手段により変換されたアナログＩＦ信号を、地上デジタル放送波として再送信するためのＲＦ帯の信号に変換し、該変換した信号を増幅する送信変換手段とを有する、地上デジタル放送の再送信装置において、
さらに、前記複数のデジタル処理部における等価ベースバンド信号に対し、タイミングを合わせるための遅延時間を調整する遅延時間調整部を備え、
前記デジタル処理部は、
前記チューナー部の直交復調手段により出力された等価ベースバンド信号から一つのセグメントを抜き出すフィルタ手段と、
前記フィルタ手段により抜き出された一つのセグメントの等価ベースバンド信号について、シンボル同期のためのシンボルタイミング及び周波数誤差量を検出するシンボル同期検出手段と、
前記フィルタ手段により抜き出された一つのセグメントの等価ベースバンド信号と、前記シンボル同期検出手段により検出された周波数誤差量とを用いて周波数誤差を補正する周波数誤差補正手段と、
前記周波数誤差補正手段により補正された１セグメントの等価ベースバンド信号と、前記遅延時間調整部により調整された遅延時間とを用いて、前記１セグメントの等価ベースバンド信号を前記遅延時間だけ遅延させる遅延部と、
前記遅延部により遅延した１セグメントの等価ベースバンド信号を、複数のセグメントを連結するように所定の帯域幅内に周波数変換するセグメント配置手段とを有し、
前記遅延時間調整部は、
前記複数のデジタル処理部のシンボル同期検出手段によりそれぞれ検出されたシンボルタイミングを用いて、前記デジタル処理部におけるそれぞれの等価ベースバンド信号のタイミングに合わせるように、それぞれの遅延時間を算出する手段を有することを特徴とする再送信装置。
【請求項２】
複数のセグメントにより構成される地上デジタル放送を複数波受信し、これらの地上デジタル放送波から一つのセグメントをそれぞれ抜き出し、この抜き出したセグメントを連結して地上デジタル放送波として再送信する地上デジタル放送の再送信装置であって、
複数のチューナー部、前記チューナー部にそれぞれ対応した複数のデジタル処理部、加算部、及び再送信部を備え、
前記チューナー部は、
前記受信した地上デジタル放送の複数波のうちの一つの放送波を選択し、この放送波のＲＦ帯の信号をＩＦ帯の信号に変換する受信変換手段と、
前記受信変換手段により変換されたＩＦ信号をデジタルＩＦ信号に変換するＡＤ変換手段と、
前記ＡＤ変換手段により変換されたデジタルＩＦ信号に直交復調を施し、等価ベースバンド信号を出力する直交復調手段とを有し、
前記デジタル処理部は、
前記チューナー部の直交復調手段により出力された等価ベースバンド信号から一つのセグメントを抜き出すフィルタ手段と、
前記フィルタ手段により抜き出された一つのセグメントの等価ベースバンド信号を、複数のセグメントを連結するように所定の帯域幅内に周波数変換するセグメント配置手段とを有し、
前記加算部は、
前記複数のデジタル処理部のセグメント配置手段により周波数変換されたそれぞれの１つのセグメントの等価ベースバンド信号を加算合成する手段を有し、
前記再送信部は、
前記加算部により加算合成された等価ベースバンド信号に直交変調を施し、デジタルＩＦ信号を出力する直交変調手段と、
前記直交変調手段により出力されたデジタルＩＦ信号をアナログＩＦ信号に変換するＤＡ変換手段と、
前記ＤＡ変換手段により変換されたアナログＩＦ信号を、地上デジタル放送波として再送信するためのＲＦ帯の信号に変換し、該変換した信号を増幅する送信変換手段とを有する、地上デジタル放送の再送信装置において、
さらに、前記複数のデジタル処理部におけるそれぞれの等価ベースバンド信号に対し、タイミングを合わせるための遅延時間を調整する遅延時間調整部を備え、
前記デジタル処理部は、
前記チューナー部の直交復調手段により出力された等価ベースバンド信号から一つのセグメントを抜き出すフィルタ手段と、
前記フィルタ手段により抜き出された一つのセグメントの等価ベースバンド信号について、シンボル同期のためのシンボルタイミング及び周波数誤差量を検出するシンボル同期検出手段と、
前記フィルタ手段により抜き出された一つのセグメントの等価ベースバンド信号と、前記シンボル同期検出手段により検出された周波数誤差量とを用いて周波数誤差を補正する周波数誤差補正手段と、
前記周波数誤差補正手段により補正された一つのセグメントの等価ベースバンド信号について、時間領域の信号から周波数領域の信号に変換するＦＦＴ手段と、
前記ＦＦＴ手段により変換された周波数領域の信号について、ＳＰパターンを検出するＳＰパターン検出手段と、
前記周波数誤差補正手段により補正された１セグメントの等価ベースバンド信号と、前記遅延時間調整部により調整された遅延時間とを用いて、前記１セグメントの等価ベースバンド信号を前記遅延時間だけ遅延させる遅延部と、
前記遅延部により遅延した１セグメントの等価ベースバンド信号を、複数のセグメントを連結するように所定の帯域幅内に周波数変換するセグメント配置手段とを有し、
前記遅延時間調整部は、
前記複数のデジタル処理部のシンボル同期検出手段によりそれぞれ検出されたシンボルタイミングと、前記複数のデジタル処理部のＳＰパターン検出手段によりそれぞれ検出されたＳＰパターンとを用いて、前記デジタル処理部におけるそれぞれの等価ベースバンド信号のシンボルタイミング及びＳＰパターンを合わせるように、それぞれの遅延時間を算出する手段を有することを特徴とする再送信装置。
【請求項３】
複数のセグメントにより構成される地上デジタル放送を複数波受信し、これらの地上デジタル放送波から一つのセグメントをそれぞれ抜き出し、この抜き出したセグメントを連結して地上デジタル放送波として再送信する地上デジタル放送の再送信装置であって、
複数のチューナー部、前記チューナー部にそれぞれ対応した複数のデジタル処理部、加算部、及び再送信部を備え、
前記チューナー部は、
前記受信した地上デジタル放送の複数波のうちの一つの放送波を選択し、この放送波のＲＦ帯の信号をＩＦ帯の信号に変換する受信変換手段と、
前記受信変換手段により変換されたＩＦ信号をデジタルＩＦ信号に変換するＡＤ変換手段と、
前記ＡＤ変換手段により変換されたデジタルＩＦ信号に直交復調を施し、等価ベースバンド信号を出力する直交復調手段とを有し、
前記デジタル処理部は、
前記チューナー部の直交復調手段により出力された等価ベースバンド信号から一つのセグメントを抜き出すフィルタ手段と、
前記フィルタ手段により抜き出された一つのセグメントの等価ベースバンド信号を、複数のセグメントを連結するように所定の帯域幅内に周波数変換するセグメント配置手段とを有し、
前記加算部は、
前記複数のデジタル処理部のセグメント配置手段により周波数変換されたそれぞれの１つのセグメントの等価ベースバンド信号を加算合成する手段を有し、
前記再送信部は、
前記加算部により加算合成された等価ベースバンド信号に直交変調を施し、デジタルＩＦ信号を出力する直交変調手段と、
前記直交変調手段により出力されたデジタルＩＦ信号をアナログＩＦ信号に変換するＤＡ変換手段と、
前記ＤＡ変換手段により変換されたアナログＩＦ信号を、地上デジタル放送波として再送信するためのＲＦ帯の信号に変換し、該変換した信号を増幅する送信変換手段とを有する、地上デジタル放送の再送信装置において、
さらに、前記複数のデジタル処理部におけるそれぞれの等価ベースバンド信号に対し、タイミングを合わせるための遅延時間を調整する遅延時間調整部を備え、
前記デジタル処理部は、
前記チューナー部の直交復調手段により出力された等価ベースバンド信号から一つのセグメントを抜き出すフィルタ手段と、
前記フィルタ手段により抜き出された一つのセグメントの等価ベースバンド信号について、シンボル同期のためのシンボルタイミング及び周波数誤差量を検出するシンボル同期検出手段と、
前記フィルタ手段により抜き出された一つのセグメントの等価ベースバンド信号と、前記シンボル同期検出手段により検出された周波数誤差量とを用いて周波数誤差を補正する周波数誤差補正手段と、
前記周波数誤差補正手段により補正された一つのセグメントの等価ベースバンド信号について、この時間領域の信号から周波数領域の信号に変換するＦＦＴ手段と、
前記ＦＦＴ手段により変換された周波数領域の信号についてのＴＭＣＣ信号を用いて、フレーム同期のためのフレームタイミングを検出するフレーム同期検出手段と、
前記周波数誤差補正手段により補正された１セグメントの等価ベースバンド信号と、前記遅延時間調整部により調整された遅延時間とを用いて、前記１セグメントの等価ベースバンド信号を前記遅延時間だけ遅延させる遅延部と、
前記遅延部により遅延した１セグメントの等価ベースバンド信号を、複数のセグメントを連結するように所定の帯域幅内に周波数変換するセグメント配置手段とを有し、
前記遅延時間調整部は、
前記複数のデジタル処理部のシンボル同期検出手段によりそれぞれ検出されたシンボルタイミングと、前記複数のデジタル処理部のフレーム同期検出手段によりそれぞれ検出されたフレームタイミングとを用いて、前記デジタル処理部におけるそれぞれの等価ベースバンド信号のフレームタイミングを合わせるように、それぞれの遅延時間を算出する手段を有することを特徴とする再送信装置。
【請求項４】
請求項１から３までのいずれか一項に記載の再送信装置において、
前記デジタル処理部のフィルタ手段により抜き出される一つのセグメントを、携帯・移動体向け放送の部分受信部のセグメントまたは地上デジタル音声放送のセグメントとすることを特徴とする再送信装置。
【手続補正２】
【補正対象書類名】明細書
【補正対象項目名】００１５
【補正方法】変更
【補正の内容】
【００１５】
すなわち、本発明による地上デジタル放送の再送信装置は、複数のセグメントにより構成される地上デジタル放送を複数波受信し、これらの地上デジタル放送波から一つのセグメントをそれぞれ抜き出し、この抜き出したセグメントを連結して地上デジタル放送波として再送信する地上デジタル放送の再送信装置において、複数のチューナー部、前記チューナー部にそれぞれ対応した複数のデジタル処理部、加算部、及び再送信部を備え、前記チューナー部は、前記受信した地上デジタル放送の複数波のうちの一つの放送波を選択し、この放送波のＲＦ帯の信号をＩＦ帯の信号に変換する受信変換手段と、前記受信変換手段により変換されたＩＦ信号をデジタルＩＦ信号に変換するＡＤ変換手段と、前記ＡＤ変換手段により変換されたデジタルＩＦ信号に直交復調を施し、等価ベースバンド信号を出力する直交復調手段とを有し、前記デジタル処理部は、前記チューナー部の直交復調手段により出力された等価ベースバンド信号から一つのセグメントを抜き出すフィルタ手段と、前記フィルタ手段により抜き出された一つのセグメントの等価ベースバンド信号を、複数のセグメントを連結するための位置に周波数変換するセグメント配置手段とを有し、前記加算部は、前記複数のデジタル処理部のセグメント配置手段により周波数変換されたそれぞれの１つのセグメントの等価ベースバンド信号を加算合成する手段を有し、前記再送信部は、前記加算部により加算合成された等価ベースバンド信号に直交変調を施し、デジタルＩＦ信号を出力する直交変調手段と、前記直交変調手段により出力されたデジタルＩＦ信号をアナログＩＦ信号に変換するＤＡ変換手段と、前記ＤＡ変換手段により変換されたアナログＩＦ信号を、地上デジタル放送波として再送信するためのＲＦ帯の信号に変換し、該変換した信号を増幅する送信変換手段とを有する、地上デジタル放送の再送信装置において、
さらに、前記複数のデジタル処理部における等価ベースバンド信号に対し、タイミングを合わせるための遅延時間を調整する遅延時間調整部を備え、
前記デジタル処理部は、
前記チューナー部の直交復調手段により出力された等価ベースバンド信号から一つのセグメントを抜き出すフィルタ手段と、
前記フィルタ手段により抜き出された一つのセグメントの等価ベースバンド信号について、シンボル同期のためのシンボルタイミング及び周波数誤差量を検出するシンボル同期検出手段と、
前記フィルタ手段により抜き出された一つのセグメントの等価ベースバンド信号と、前記シンボル同期検出手段により検出された周波数誤差量とを用いて周波数誤差を補正する周波数誤差補正手段と、
前記周波数誤差補正手段により補正された１セグメントの等価ベースバンド信号と、前記遅延時間調整部により調整された遅延時間とを用いて、前記１セグメントの等価ベースバンド信号を前記遅延時間だけ遅延させる遅延部と、
前記遅延部により遅延した１セグメントの等価ベースバンド信号を、複数のセグメントを連結するように所定の帯域幅内に周波数変換するセグメント配置手段とを有し、
前記遅延時間調整部は、
前記複数のデジタル処理部のシンボル同期検出手段によりそれぞれ検出されたシンボルタイミングを用いて、前記デジタル処理部におけるそれぞれの等価ベースバンド信号のタイミングに合わせるように、それぞれの遅延時間を算出する手段を有する。
上記とは別に、当該地上デジタル放送の再送信装置において、
さらに、前記複数のデジタル処理部におけるそれぞれの等価ベースバンド信号に対し、タイミングを合わせるための遅延時間を調整する遅延時間調整部を備え、
前記デジタル処理部は、
前記チューナー部の直交復調手段により出力された等価ベースバンド信号から一つのセグメントを抜き出すフィルタ手段と、
前記フィルタ手段により抜き出された一つのセグメントの等価ベースバンド信号について、シンボル同期のためのシンボルタイミング及び周波数誤差量を検出するシンボル同期検出手段と、
前記フィルタ手段により抜き出された一つのセグメントの等価ベースバンド信号と、前記シンボル同期検出手段により検出された周波数誤差量とを用いて周波数誤差を補正する周波数誤差補正手段と、
前記周波数誤差補正手段により補正された一つのセグメントの等価ベースバンド信号について、時間領域の信号から周波数領域の信号に変換するＦＦＴ手段と、
前記ＦＦＴ手段により変換された周波数領域の信号について、ＳＰパターンを検出するＳＰパターン検出手段と、
前記周波数誤差補正手段により補正された１セグメントの等価ベースバンド信号と、前記遅延時間調整部により調整された遅延時間とを用いて、前記１セグメントの等価ベースバンド信号を前記遅延時間だけ遅延させる遅延部と、
前記遅延部により遅延した１セグメントの等価ベースバンド信号を、複数のセグメントを連結するように所定の帯域幅内に周波数変換するセグメント配置手段とを有し、
前記遅延時間調整部は、
前記複数のデジタル処理部のシンボル同期検出手段によりそれぞれ検出されたシンボルタイミングと、前記複数のデジタル処理部のＳＰパターン検出手段によりそれぞれ検出されたＳＰパターンとを用いて、前記デジタル処理部におけるそれぞれの等価ベースバンド信号のシンボルタイミング及びＳＰパターンを合わせるように、それぞれの遅延時間を算出する手段を有することを特徴とする。
上記とは別に、当該地上デジタル放送の再送信装置において、
さらに、前記複数のデジタル処理部におけるそれぞれの等価ベースバンド信号に対し、タイミングを合わせるための遅延時間を調整する遅延時間調整部を備え、
前記デジタル処理部は、
前記チューナー部の直交復調手段により出力された等価ベースバンド信号から一つのセグメントを抜き出すフィルタ手段と、
前記フィルタ手段により抜き出された一つのセグメントの等価ベースバンド信号について、シンボル同期のためのシンボルタイミング及び周波数誤差量を検出するシンボル同期検出手段と、
前記フィルタ手段により抜き出された一つのセグメントの等価ベースバンド信号と、前記シンボル同期検出手段により検出された周波数誤差量とを用いて周波数誤差を補正する周波数誤差補正手段と、
前記周波数誤差補正手段により補正された一つのセグメントの等価ベースバンド信号について、この時間領域の信号から周波数領域の信号に変換するＦＦＴ手段と、
前記ＦＦＴ手段により変換された周波数領域の信号についてのＴＭＣＣ信号を用いて、フレーム同期のためのフレームタイミングを検出するフレーム同期検出手段と、
前記周波数誤差補正手段により補正された１セグメントの等価ベースバンド信号と、前記遅延時間調整部により調整された遅延時間とを用いて、前記１セグメントの等価ベースバンド信号を前記遅延時間だけ遅延させる遅延部と、
前記遅延部により遅延した１セグメントの等価ベースバンド信号を、複数のセグメントを連結するように所定の帯域幅内に周波数変換するセグメント配置手段とを有し、
前記遅延時間調整部は、
前記複数のデジタル処理部のシンボル同期検出手段によりそれぞれ検出されたシンボルタイミングと、前記複数のデジタル処理部のフレーム同期検出手段によりそれぞれ検出されたフレームタイミングとを用いて、前記デジタル処理部におけるそれぞれの等価ベースバンド信号のフレームタイミングを合わせるように、それぞれの遅延時間を算出する手段を有することを特徴とする。